(57)【要約】【課題】磁気カードの磁気記録部の位置が異なるカードに対応して、確実に磁気データの読み込み又は書き込みができるリーダライタ部に用いられる磁気ヘッド用ガイドを提供する。【解決手段】磁気カードの磁気データの読み込み及び書き込みを行うリードライト部を支持する磁気ヘッド用ガイドであって、カードの進行方向と垂直方向に複数の磁気ヘッドを保持する。そして、この磁気ヘッド用ガイドは、ガイド本体と、複数の磁気ヘッドを保持し前記ガイド本体にワンタッチで装着可能な磁気ヘッドホルダーと、磁気ヘッドホルダーをカード側に付勢する付勢手段と、から構成される。【選択図】        図１
2007233599.tif 000002
【特許請求の範囲】
【請求項１】
磁気カードの磁気データの読み込み及び書き込みを行う磁気ヘッドを支持する磁気ヘッド用ガイドであって、前記カードの進行方向と垂直方向に複数の磁気ヘッドを保持することを特徴とする磁気ヘッド用ガイド。
【請求項２】
前記磁気ヘッド用ガイドは、ガイド本体と、前記複数の磁気ヘッドを保持し前記ガイド本体にワンタッチで装着可能な磁気ヘッドホルダーと、該磁気ヘッドホルダーを前記カード側に付勢する付勢手段と、から構成されることを特徴とする請求項１記載の磁気ヘッド用ガイド。
【請求項３】
磁気カードの磁気データの読み込み及び書き込みを行う磁気ヘッドを支持する磁気ヘッド用ガイドであって、前記複数の磁気ヘッドは選択的に保持されることを特徴とする請求項１又は２に記載の磁気ヘッド用ガイド。
【発明の詳細な説明】
【技術分野】
【０００１】
本発明は、磁気カードの磁気データを読み込み又は書き込みを行なう磁気ヘッドの磁気ヘッド用ガイドに関し、とくに磁気記録部の位置が異なるカードに対して対応して磁気データの読み込み及び書き込みを可能とし、しかも磁気ヘッドの取替えが容易であり、さらに該磁気ヘッドのカード変形に対する追随性に優れた磁気ヘッド用ガイドに関するものである
【背景技術】
【０００２】
今日、病院や店舗等あるいは遊技場等において磁気カード（以下単にカードという）を使った端末装置が数多く使用されている。前記端末装置は前記カードにデータの読み込み及び書き込みを行うリードライト部を備えており、該リードライト部には磁気ヘッドが備えられており、この磁気へッドによってカードに記録された磁気データの読み込み及び書き込みが行なわれている。
【０００３】
上記従来の端末装置においては、リードライト部に１個の磁気ヘッドが備えられ、前記端末装置に挿入されたカードに磁気データの読み込み及び書き込みがなされるものであり、前記カードには前記磁気ヘッドと摺接する面においてのみ磁気データの読み込み及び書き込みが可能であり、前記カードの磁気記録位置が異なるカードには対応しておらず、通常は前記カードに対応した端末装置が選択されている。すなわち、端末装置に搭載されている磁気ヘッドはカードの規格（例えば、ＪＩＳ−Ｉ型又はＪＩＳ−ＩＩ型など）によって予め固定された位置に配置されて使用されている。
【０００４】
その為、例えば磁気記録位置の異なるカードを使用するためには、複数の異なるカードに対応した端末装置を設置するか、或いは使用可能なカードを限定して運用する方法が採られている。また、現時点において複数の磁気ヘッドをカード進行方向と垂直方向に装着して磁気記録位置の異なるカードを使用できる磁気ヘッド用ガイドを備えている端末装置はない。
【０００５】
そこで、既存の磁気カードを読み取り及び書き込みを行なう端末装置を改良して、複数の磁気ヘッドを取り付けて上記の欠点を解決する方法も考えられるが、磁気記録位置の異なるカード毎に端末装置の筐体に設計変更を必要とし、また磁気ヘッドの取付けや、取付け後の微調整に多くの手間が掛かり、しかも磁気ヘッドの取替えなどのメンテナンスにも時間が係るという問題点が生じる虞がある。
【発明の開示】
【発明が解決しようとする課題】
【０００６】
本発明は、上記問題点に鑑みなされたもので、一つの端末装置で複数の磁気記録位置の異なるカードの読み込み及び書き込みを可能とする磁気ヘッド用ガイドであり、とくに複数の磁気ヘッドを同時に端末装置に取付けることができ、また磁気ヘッドをワンタッチで磁気ヘッド用ガイドに取付けが可能であり、しかも磁気ヘッドとカードとの密着性に優れた磁気ヘッド用ガイドを提供するものである。
【課題を解決するための手段】
【０００７】
このため本発明の磁気ヘッド用ガイドは、カードに磁気データの読み込み及び書き込みを行う磁気ヘッドを支持する磁気ヘッド用ガイドであって、前記カードの進行方向と垂直方向に複数の磁気ヘッドを保持することを第１の特徴とする。
【０００８】
また、前記磁気ヘッド用ガイドは、該磁気ヘッド用ガイド本体と、前記複数の磁気ヘッドを保持し前記用ガイド本体にワンタッチで装着可能な磁気ヘッドホルダーと、該磁気ヘッドホルダーを前記カード側に付勢する付勢手段と、から構成されることを第２の特徴とする。
【０００９】
そして、前記磁気ヘッド用ガイドは、前記複数の磁気ヘッドを選択的に保持することを第３の特徴とする。
【発明の効果】
【００１０】
本発明に係る磁気ヘッド用ガイドにより、磁気記録部の位置が異なるカードを同一の端末装置で磁気データの読み込み及び書き込みができるという優れた効果を有する。
【００１１】
また、前記複数の磁気ヘッドを保持し前記用ガイド本体にワンタッチで装着可能な磁気ヘッドホルダーは、付勢手段によって前記カード側に付勢されているため磁気ヘッドとカードとの密着性に優れるという効果を有する。
【００１２】
しかも、磁気ヘッドを磁気ヘッドガイドにワンタッチで取付けができるため、磁気ヘッド用ガイドによって磁気ヘッドを選択的に保持して使用できるという効果がある。
【発明を実施するための最良の形態】
【００１３】
以下、本発明を実施するための最良の形態を図面に示す実施例に基づいて説明するが、本発明が本実施例に限定されないことは言うまでもない。図１は本発明に係る磁気ヘッド用ホルダーの一実施例を示す斜視図、図２は図１の完成斜視図、図３は端末装置の斜視図、図４は磁気ヘッドホルダーを取り付けた状態を説明する斜視図、図５は本発明に係る磁気ヘッド用ガイドの作用を示す説明図、図６は図５の部分拡大説明図である。
【実施例】
【００１４】
図１、２に示すように、本発明に係る磁気ヘッド用ガイド１は、略直方形状の磁気ヘッド用ガイド本体２と、２個の磁気ヘッドホルダ３と、２個のバネ４とから構成されており、２個の磁気ヘッド５が磁気ヘッドホルダ３の上方から各々圧入され、基板６とケーブル７が磁気ヘッドホルダ３の下方から磁気ヘッド５に順次装着され、バネ４を介して磁気ヘッド用ガイド本体２にワンタッチで装着される。そして磁気ヘッド５が装着された磁気ヘッド用ガイド１は、図３に示すように端末装置４１のカード走行フレーム４２の磁気ヘッド開口部４３に磁気ヘッド５のヘッド部を上向きとし、カード走行フレーム４２のカード走行方向と垂直方向に取り付けられる。尚、磁気ヘッド５の使用個数は２個に限定されず、選択的に使用数量、位置が決定されて使用される。また、ケーブル７と磁気ヘッド用ガイド１の基板６との接続は、端末装置４１に磁気ヘッド用ガイド１を取付けた後であってもかまわない。
【００１５】
磁気ヘッド用ガイド本体２はプラスチック製で、底部が開放され後述する磁気ヘッドホルダ３を装着可能とし、上部には磁気ヘッド５のヘッド部５１を膨出する開口部８が形成されて成形されている。また磁気ヘッド用ガイド本体２の長手方向内面には図３に示すように複数の当接帯部９が対向して形成され、後述する突起部１１と共に磁気ヘッドホルダ３側面部と当接し、磁気ヘッドホルダ３を水平面で回動不能に保持する。そして、図４に示すように底部近傍には複数の係合爪部１０が形成され、磁気ヘッドホルダ３をワンタッチで装着可能とし、磁気ヘッドホルダ３の落下を防止する。
【００１６】
磁気ヘッドホルダ３はプラスチック製で矩形に成形され、磁気ヘッド５を圧入可能な挿通部を有し、両側面部には磁気ヘッド用ガイド本体２内面と当接する複数の突起部１１が形成され、側面中央部には後述するバネ４の直線部１４と係合する係合部１２が各々設けられ、磁気ヘッド用ガイド本体２の係合溝１３と係合し上下方向で移動可能とされる。
【００１７】
バネ４は金属或いはプラスチックで一体に成形された一対のコイルバネからなり、磁気ヘッドホルダ３の一対の係合部１２にバネ４の直線部１４が各々係合し、磁気ヘッド用ガイド本体２の内側面所定位置にバネ４の連結部１５が係合し、磁気ヘッドホルダ３を磁気ヘッド用ガイド２内で上方へ付勢する。すなわち磁気ヘッド５を常時カード面側に付勢する。
【００１８】
次に、本実施例の作用を図５乃至図６で説明する。
図５（ａ）は２個の磁気ヘッド５とローラ１６が、バネ４の付勢によって当接した状態を示し、図５（ｂ）は２個の磁気ヘッド５とローラ１６との間にカード１７が挿入された状態を示している。図に示すように、磁気ヘッド５はカード１７によって押圧され、バネ４の付勢に抗して下方向へ移動する。カード１７が通過すると、再度バネ４の付勢によって上方向へ押圧されてローラ１６と当接する。尚、磁気ヘッド５は磁気ヘッドホルダ３と一体に上下方向に移動する。
【００１９】
ここで、カード１７の横方向（図６の左右方向）に傾きがある場合には、矢印に示すように磁気ヘッド５がカード１７の傾きに対して同調して傾き、磁気記録部に対して正確に当接し、磁気データの読み込み及び書き込みが可能となる。しかも、上記した磁気ヘッドホルダ３と磁気ヘッド用ガイド本体２とは突起部１１と当接帯部９によって回動不能とされており、スキュー角度のズレを最小とする。
【００２０】
以上、本発明による磁気ヘッド用ガイドによれば、カードの進行方向と垂直方向に複数の磁気ヘッドを選択的に保持することができるため、磁気記録部の位置が異なる磁気カード等のカードを同一の端末装置で磁気データの読み込み及び書き込みができる。しかも、複数の磁気ヘッドを保持して磁気ヘッド用ガイド本体にワンタッチで装着可能な磁気ヘッドホルダーは、付勢手段によって前記カード側に常に付勢されているため磁気ヘッドとカードとの密着性がよく、磁気データの読み込み及び書き込み性能に優れる。
【図面の簡単な説明】
【００２１】
【図１】本発明に係る磁気ヘッド用ガイドの一実施例を示す斜視図である。
【図２】図１の完成斜視図である。
【図３】端末処置の斜視図である。
【図４】磁気ヘッドホルダを取り付けた状態を説明する斜視図である。
【図５】本発明に係る磁気ヘッド用ガイドの作用を示す説明図である。
【図６】図５の部分拡大説明図である。
【符号の説明】
【００２２】
１                  磁気ヘッド用ガイド
２                  磁気ヘッド用ガイド本体
３                  磁気ヘッド用ホルダ
４                  バネ
５                  磁気ヘッド
６                  基板
７                  ケーブル
８                  開口部
９                  当接帯部
１０                  係合爪部
１１                  突起部
１２                  係合部
１３                  係合溝
１４                  直線部
１５                  連結部
１６                  ローラ
１７                  カード
４１                  端末装置
４２                  カード走行フレーム
４３                  開口部
５１                  ヘッド部
【図１】
2007233599.tif 000003
【図２】
2007233599.tif 000004
【図３】
2007233599.tif 000005
【図４】
2007233599.tif 000006
【図５】
2007233599.tif 000007
【図６】
2007233599.tif 000008